(57)【特許請求の範囲】
【請求項１】
頭部の両側を押え込む左右一対のクッション部材と、所定の間隔をもって一体的に形成された左右一対のクッション支持支柱を有するクッション支持部材とから成り、前記左右のクッション支持支柱に前記左右一対のクッション部材がそれぞれ装着されていることを特徴とする歯科用往診専用安頭台。
【請求項２】
頭部の両側を押え込む左右一対のクッション部材と、両端に前記クッション部材の各々を支持するクッション支持支柱とを有し、該クッション支持支柱は、単一のパイプ又は棒状体により構成され、該単一のパイプ又は棒状体が左右に延長する左右延長部と、該左右延長部の両端より略平行に上方に延長する平行延長部と、該平行延長部の終端部において前記クッション部材が取り付けられていることを特徴とする歯科往診専用安頭台。
【請求項３】
前記クッション支持支柱の前記折り返し上昇部間が連結されていることを特徴とする請求項２に記載の歯科往診専用安頭台。
【請求項４】
前記クッション部材が前記クッション支持支柱の前記折り返し上昇部間を連結する連結部材の両端に取り付けられていることを特徴とする請求項２に記載の歯科往診専用安頭台。
【請求項５】
前記クッション部材が前記クッション支持支柱に対して、その高さ位置が調節可能であることを特徴とする請求項２乃至４のいずれかに記載の歯科往診専用安頭台。
【請求項６】
前記ファッション支持支柱に対してフレキシブルチューブが一体的又は着脱自在に取り付けられ、該フレキシブルチューブの先端に懐中電灯が装着可能であることを特徴とする請求項２乃至５のいずれかに記載の歯科往診専用安頭台。
【請求項７】
前記クッション支持支柱にフレキシブルチューブを一体的又は着脱自在に有するとともに該フレキシブルチューブの先端に電灯を着脱自在に有し、該電灯を前記フレキシブルチューブが取り付けられる支柱に設けられた電池電源によりＯＮ／ＯＦＦ可能としたことを特徴とする請求項２乃至５のいずれかに記載の歯科用往診専用安頭台。
【請求項８】
頭部の両側を押え込む左右一対のクッション部材と、両端に前記クッション部材の各々を支持するクッション支持部材と、該クッション支持部材を支持する支持支柱とを有し、該支持支柱は、単一のパイプ又は棒状体により構成され、該単一のパイプ又は棒状体が左右に延長する前方部と、該前方部の両端より後方に略平行に延長する平行延長部と、該平行延長部の後端において前方上方へ折り返される折り返し上昇部とから成り、該折り返し上昇部の終端部において前記クッション支持部材が取り付けられていることを特徴とする歯科往診専用安頭台。
【請求項９】
前記クッション支持部材は、左右の側に前後方向に延長する軸を有し、前記左右のクッション部材は、前記前後方向に延長する軸のまわりに回動可能であることを特徴とする請求項８に記載の歯科往診専用安頭台。
【請求項１０】
前記クッション支持部材は、前記支持支柱に対して、その高さ位置を調節可能に取り付けられていることを特徴とする請求項８又は９に記載の歯科往診専用安頭台。
【請求項１１】
前記クッション支持支柱にフレキシブルチューブを一体的又は着脱自在に有し、該フレキシブルチューブの先端に懐中電灯が着脱自在に装着されるように構成されていることを特徴とする請求項８乃至１０のいずれかに記載の歯科往診専用安頭台。
【請求項１２】
前記クッション支持支柱にフレキシブルチューブを一体的又は着脱自在に有するとともに該フレキシブルチューブの先端に電灯を着脱自在に有し、該電灯を前記フレキシブルチューブが取り付けられる支柱に設けられた電池電源によりＯＮ／ＯＦＦ可能としたことを特徴とする請求項８乃至１０のいずれかに記載の歯科用往診専用安頭台。
【発明の詳細な説明】
【０００１】
【発明の属する技術分野】
本発明は、歯科往診専用安頭台、より詳細には、往診して歯科治療を行う現場において、患者に無理な体勢を強いることなく患者の頭部を安定して押さえることができ、従って、安全かつ確実な治療を行うことができ、しかも、往診時、手軽に持ち運ぶことのできる軽量な歯科往診専用安頭台に関する。
【０００２】
【従来の技術】
往診用の歯科治療ユニットは種々に提案されているが、往診現場において、患者の頭部を安定して保持するための、往診に適した（換言すれば、持ち運びに適した）歯科治療用の安頭台は未だに提案されていない。
【０００３】
而して、歯科治療の往診の現場において、治療を行う際の患者の体勢はさまざまで、例えば、起き上がることが困難な人、車椅子の人、寝たきりの人等は、概して、頭を安定して固定しておくことが困難である。そのため、往診現場において、術者は、歯科治療に当って、患者の頭を抱きかかえて固定したりする等、術者自身が無理な体勢をとってでも安全にかつ確実な治療を行おうとする。
【０００４】
【発明が解決しようとする課題】
しかし、術者が無理な体勢で治療を行うことは、延いては、患者にも無理な体勢を強いることになり、術者及び患者に余計な労力を強いることになり、安全かつ確実な治療を行うことを困難にしている。
【０００５】
また、往診現場においては、無影灯に相当するものがなく、一般的には、懐中電灯を用いて患者の口腔内を照明するようにしているが、術者が、口腔内照明と歯科治療を同時に行うことはできず、作業が非常にしにくく、また、アシスタントに照明してもらうにしても、アシスタントが邪魔になって作業がしにくいといった問題があった。
【０００６】
本発明は、上述のごとき実情に鑑みてなされたもので、手軽に持ち運ぶことができ、しかも、往診現場で、患者の頭部を所望の治療のし易い状態に安定して保持し、更には、患者の口腔内をアシスタントの手を借りることなく照明することのできる歯科往診専用の安頭台を提供することを目的としてなされたものである。
【００１３】
【課題を解決するための手段】
請求項１の発明は、頭部の両側を押え込む左右一対のクッション部材と、所定の間隔をもって一体的に形成された左右一対のクッション支持支柱を有するクッション支持部材とから成り、前記左右のクッション支持支柱に前記左右一対のクッション部材がそれぞれ装着されていることを特徴としたものである。
【００１４】
請求項２の発明は、頭部の両側を押え込む左右一対のクッション部材と、両端に前記クッション部材の各々を支持するクッション支持支柱とを有し、該クッション支持支柱は、単一のパイプ又は棒状体により構成され、該単一のパイプ又は棒状体が左右に延長する左右延長部と、該左右延長部の両端より略平行に上方に延長する平行延長部と、該平行延長部の終端部において前記クッション部材が取り付けられていることを特徴としたものである。
【００１５】
請求項３の発明は、請求項２の発明において、前記クッション支持支柱の前記折り返し上昇部間が連結されていることを特徴としたものである。
【００１６】
請求項４の発明は、請求項２の発明において、前記クッション部材が前記クッション支持支柱の前記折り返し上昇部間を連結する連結部材の両端に取り付けられていることを特徴としたものである。
【００１７】
請求項５の発明は、請求項２乃至４のいずれかの発明において、前記クッション部材が前記クッション支持支柱に対して、その高さ位置が調節可能であることを特徴としたものである。
【００１８】
請求項６の発明は、請求項２乃至５のいずれかの発明において、前記ファッション支持支柱に対してフレキシブルチューブが一体的又は着脱自在に取り付けられ、該フレキシブルチューブの先端に懐中電灯が装着可能であることを特徴としたものである。
【００１９】
請求項７の発明は、請求項２乃至５のいずれかの発明において、前記クッション支持支柱にフレキシブルチューブを一体的又は着脱自在に有するとともに該フレキシブルチューブの先端に電灯を着脱自在に有し、該電灯を前記フレキシブルチューブが取り付けられる支柱に設けられた電池電源によりＯＮ／ＯＦＦ可能としたことを特徴としたものである。
【００２０】
請求項８の発明は、頭部の両側を押え込む左右一対のクッション部材と、両端に前記クッション部材の各々を支持するクッション支持部材と、該クッション支持部材を支持する支持支柱とを有し、該支持支柱は、単一のパイプ又は棒状体により構成され、該単一のパイプ又は棒状体が左右に延長する前方部と、該前方部の両端より後方に略平行に延長する平行延長部と、該平行延長部の後端において前方上方へ折り返される折り返し上昇部とから成り、該折り返し上昇部の終端部において前記クッション支持部材が取り付けられていることを特徴としたものである。
【００２１】
請求項９の発明は、請求項８の発明において、前記クッション支持部材は、左右の側に前後方向に延長する軸を有し、前記左右のクッション部材は、前記前後方向に延長する軸のまわりに回動可能であることを特徴としたものである。
【００２２】
請求項１０の発明は、請求項８又は９の発明において、前記クッション支持部材は、前記支持支柱に対して、その高さ位置を調節可能に取り付けられていることを特徴としたものである。
【００２３】
請求項１１の発明は、請求項８乃至１０のいずれかの発明において、前記クッション支持支柱にフレキシブルチューブを一体的又は着脱自在に有し、該フレキシブルチューブの先端に懐中電灯が着脱自在に装着されるように構成されていることを特徴としたものである。
【００２４】
請求項１２の発明は、請求項８乃至１０のいずれかの発明において、前記クッション支持支柱にフレキシブルチューブを一体的又は着脱自在に有するとともに該フレキシブルチューブの先端に電灯を着脱自在に有し、該電灯を前記フレキシブルチューブが取り付けられる支柱に設けられた電池電源によりＯＮ／ＯＦＦ可能としたことを特徴としたものである。
【００２５】
【発明の実施の形態】
図１は、歯科往診専用安頭台の一例を説明するための図で、図１（Ａ）は全体斜視図を示し、図１（Ａ）において、１は両側が患者の頭部を押え込むように形成されたクッション部材、２Ｒ，２Ｌは該クッション部材１の両側を支持する一対のクッション支持支柱で、これらクッション支持支柱２Ｒ，２Ｌは、同一の構造となっており、左右を入れ換えて使用しても全く支障のない構成となっている。これらクッション支持支柱は、好ましくは、パイプ等の軽量部材で構成させ、該支柱の頂部には、クッション部材１の軸１ａが挿通される孔３ａ1〜３ａ3が設けられたクッション高さ調節部材３Ｒ，３Ｌが設けられており、往診現場において、孔３ａ1〜３ａ3のいずれかにクッション部材１の軸１ａと挿通することによってクッション部材１の高さを調節する。軸１ａの両端には、ねじ穴が設けられており、該ねじ穴にねじ４Ｒ，４Ｌを螺合してクッション部材１を支持支柱２Ｒ，２Ｌに固定することによって、安頭台を組み立てることができるようになっている。
【００２６】
図１（Ｂ），図１（Ｃ）は、上述のごとき、図１（Ａ）に示した安頭台を患者に適用している時の状態を示す概略図で、図１（Ｂ）は、安頭台を患者の頭部側（矢印Ａ側）にして、患者が顎を引いた状態にした時の図、図１（Ｃ）は、患者の顎側（矢印Ｂ側）にして、患者が顎を上げた状態にした図で、安頭台は、図１（Ｂ），図１（Ｃ）に示したように、寝た状態の患者に対して、その位置をＡ方向又はＢ方向に移動するだけで、患者の口腔を歯科治療のし易い状態にすることができる。
【００２７】
図２は、歯科往診専用安頭台の例を説明するための概略斜視図で、この例は、図１に示した安頭台のクッション支持支柱２Ｒ，２Ｌのいずれか一方に、可焼性（フレキシブル）チューブ５を一体的又は着脱自在に設け、その先端に懐中電灯６を着脱自在に装着できるようにしたものである。このようにすると、術者は、往診先において、アシスタントの手を借りることなく、患者の口腔内を照明することができ、歯科治療が非常にし易くなり、かつ、正確な治療を行うことが可能となる。
【００２８】
なお、図２には、フレキシブルチューブ５の先端に懐中電灯６を取り付ける例を示したが、図３に示すように、懐中電灯６に代わって豆電球７を着脱自在に取り付けるようにするとともに、クッション支持支柱に電池収納ボックス８を取り付け、該ボックス８にフレキシブルチューブ５を一体的又は着脱自在に取り付け、スイッチ９により、豆電球７をオン／オフするようにしてもよい。
【００２９】
図４は、本発明による歯科往診専用安頭台の一実施例を説明するための図で、図４（Ａ）は全体斜視図で、図中、１１Ｒ，１１Ｌは左右一対のクッション部材、１２はこれら一対のクッション部材１１Ｒ，１１Ｌを所定の間隔を持って取り付けるための支持部材で、該支持部材はパイプ又は棒状の軽量部材から成り、左右に延長する前方部１２Ｆと、該前方部１２Ｆの左右の両端部より後方へ略平行に延長する平行延長部１２Ｒ1，１２Ｌ1と、これら平行延長部の終端部において前方上方へ折り返された折り返し上昇部１２Ｒ2，１２Ｌ2とよりなり、この折り返し上昇部１２Ｒ2，１２Ｌ2の上方に前記クッション部材１１Ｒ，１１Ｌが取り付けられている。
【００３０】
図４（Ｂ），図４（Ｃ）は、図４（Ａ）に示した安頭台を患者に適用している時の状態を示す概略図で、図１（Ｂ），図１（Ｃ）に関して説明したのと同様に図４（Ｂ）は、安頭台を患者の頭部側（矢印Ａ側）にして、患者が顎を引いた状態にした時の図、図４（Ｃ）は、本発明による安頭台を患者の顎側（矢印Ｂ側）にして、患者が顎を上げた状態にした図で、本実施例による安頭台によっても、寝た状態の患者に対して、その位置をＡ方向又はＢ方向に移動するだけで、患者の口腔を歯科治療のし易い状態にすることができる。
【００３１】
上述のように、上記安頭台は、左右のクッション部材１１Ｒと１１Ｌの間に患者の頭を載せて使用するものであるため、これらクッション部材１１Ｒ，１１Ｌの取り付け位置は支持支柱１２の折り返し上昇部１２Ｒ２，１２Ｌ２の終端（自由端）であってもよいが、支持部材の剛性が足りないと、患者の頭の重さ、頭にかかる荷重等によって、これらクッション部材１１Ｒ，１１Ｌ間が開いてしまい、頭を安定して固定できないので、実際には、図示のように、支持部材１２の自由端（１２Ｒ２，１２Ｌ２の先端）間が開かないように、紐，パイプ，或いは、棒状体等の部材１３で連結している。
【００３２】
図５は、図４に示した歯科用往診専用安頭台の具体例を説明するための構成図で、図５（Ａ）は正面図、図５（Ｂ）は側面図を示し、図中、図４に示した実施例と同様の作用をする部分には、図４の場合と同一の参照番号が付してある。而して、図５に示した実施例においては、クッション部材１１Ｒ，１１Ｌは、それぞれ軸１４Ｒ，１４Ｌのまわりに矢印方向回動自在に取り付けられており、該軸１４Ｒ，１４Ｌは単一のクッション部材支持部材１３に取り付けられており、このクッション部材支持部材１３がボルト１５Ｒ，１５Ｌ等にて支持部材１２の両自由端部に取り付けられている。
【００３３】
なお、図５に示した実施例においては、クッション部材１１Ｒ，１１Ｌをクッション支持部材１３に一体的に取り付け、このクッション支持部材１３を支持部材１２の自由端に取り付けるようにした例を示したが、支持部材１２の自由端にクッション部材を直接回動自在に一体的に取り付け、この自由端間を他の単一の部材で連結して、該自由端間が開かないようにしてもよい。
【００３４】
図６，図７は、それぞれ本発明の他の実施例を説明するための要部概略斜視図で、図中、図４，図５に示した実施例と同様の作用をする部分には、図４，図５の場合と同一の参照番号が付してある。而して、図６に示した実施例は、クッション支持支柱が、左右延長部１２Ｆの両側の平行延長部１２Ｒ，１２Ｌの後端において、略垂直に立上った後略平行（水平）に前方に折り返されているものであり、図７に示した実施例は、左右延長部１２Ｆ１，１２Ｆ２を前後に有し、それぞれの両端部から斜めに立ち上がる側部１２Ｒ１，１２Ｒ２，１２Ｌ１，１２Ｌ２の端部を連結してクッション支持支柱を構成したものである。まお、これら図４乃至図７に示した実施例においても、クッション支持部材を、例えば、図１に示した上下調整機構と同様の構成により上下方向に高さ調整可能に取り付けたり、或いは、クッション支持支柱に懐中電灯や豆電球を取り付けるようにすることもできる。しかし、その構成は、図２に示した例と同様であるので、その詳細は省略する。
【００３５】
【発明の効果】
以上の説明から明らかなように、本発明によると、安頭台はクッション部材を有し、該クッション部材で患者の頭部の両脇をしっかり押さえ込むので、頭部が動くことはない。さらに、安頭台の位置を移動することにより顎を引いた状態、上げた状態を簡単に作ることができ、これにより、下顎の治療、上顎の治療を楽に行うことができる。
更に、小型で、軽量な素材で構成することにより、手軽に持ち運ぶことができ、術者は、往診先の現場において、この安頭台により安全かつ確実な治療を行うことができる。
更には、懐中電灯や豆電球をフレキシブルチューブ等により移動可能に取り付けるようにしたので、往診先でアシスタントの手を借りることなく患者の口腔内を照明して、正確な治療を行うことができる。
【図面の簡単な説明】
【図１】  歯科往診専用安頭台の一例を説明するための概要及びその使用状態を示す図である。
【図２】クッション支持支柱に懐中電灯を取り付けるようにした場合の例を示す図である。
【図３】クッション支持支柱に豆電球を取り付けるようにした場合の例を示す図である。
【図４】本発明による歯科往診専用安頭台の一実施例を説明するための概要及びその使用状態を示す図である。
【図５】図４に示した歯科往診専用安頭台の正面図及び側面図である。
【図６】本発明による歯科往診専用安頭台の他の実施例を示す全体斜視図である。
【図７】本発明による歯科往診専用安頭台の更に他の実施例を示す全体斜視図である。
【符号の説明】
１…クッション部材、２Ｒ，２Ｌ…クッション支持支柱、３Ｒ，３Ｌ…クッション高さ調節部材、４Ｒ，４Ｌ…クッション取り付けボルト、５…フレキシブルチューブ、６…懐中電灯、７…豆電球、１１Ｒ，１１Ｌ…クッション部材、１２…クッション支持支柱、１３…クッション支持部材。
【図１】
0003600188.tif 000002
【図２】
0003600188.tif 000003
【図３】
0003600188.tif 000004
【図４】
0003600188.tif 000005
【図５】
0003600188.tif 000006
【図６】
0003600188.tif 000007
【図７】
0003600188.tif 000008